(57)【特許請求の範囲】
【請求項１】
建造物の開口部両側に配置され、対向面部に開口した縦ガイド溝を有する左右一対のガイドレールと、両側の縦框の端部が左右一対のガイドレールの縦ガイド溝に対して嵌め込まれて昇降し、建造物の開口部を開閉する上下複数のカーテン部材と、これらのカーテン部材の両側を前記ガイドレールの内部で連繋する連繋部材とを備え、
前記カーテン部材の少なくとも一側の縦框は、表面壁と裏面壁とを有する第一縦框と、断面ほぼＬ形状に形成され、そのＬ形状の一側片部と他側片部とを有する第二縦框とを有し、
前記一側の縦框が前記ガイドレールに嵌め込まれた状態において、
前記第一縦框および前記第二縦框の一側片部の側縁部の内、一方には係合部が設けられ、他方には前記係合部に着脱可能な係合受部が設けられており、これらの係合部および係合受部は互いに係合されてガイドレールの内部にあり、
前記係合部および前記係合受部により互いに係合された前記第一縦框と前記第二縦框との間の係合を前記ガイドレールの外部から係合解除可能なように、前記係合部と前記係合受部との係合位置から離れた位置で、前記裏面壁と、少なくとも一部が前記縦ガイド溝から外方に突出する他側片部の外方突出部とを締結解除可能に締結している締結手段とを備えていることを特徴とする空間開閉装置。
【請求項２】
前記第一縦框の係合部または係合受部は、前記表面壁の裏側に形成されていることを特徴とする請求項１記載の空間開閉装置。
【請求項３】
前記第一縦框の裏面壁は第一ネジ挿入孔を有し、前記第二縦框の他側片部の前記外方突出部には第二ネジ挿入孔が設けられ、これら第一および第二ネジ挿入孔を介して前記締結手段としての締結ネジで前記第一縦框と前記第二縦框とが締結されることを特徴とする請求項１または2記載の空間開閉装置。
【請求項４】
前記第一縦框の裏面壁は、前記第一ネジ挿入孔の近傍に一体突設された係合突起を有し、前記第二縦框の他側片部には前記係合突起に係脱可能に嵌め込み係合させるための係合凹部が設けられていることを特徴とする請求項１から３のいずれかに記載の空間開閉装置。
【請求項５】
前記第二縦框の一側片部の外側面には昇降用のローラ軸が挿入可能なピンブラケットが固着されていることを特徴とする請求項１から４のいずれかに記載の空間開閉装置。
【請求項６】
前記第一縦框の上端に固定された上框の上壁端には切欠部が設けられ、この切欠部は前記ローラ軸を前記ピンブラケットが有するスリーブともども上下方向に通過可能とすることを特徴とする請求項５記載の空間開閉装置。
【請求項７】
前記第一縦框は係合受部を有し、前記係合受部には、前記表面壁裏側に前記表面壁と直交する方向に開口して形成され、前記第二縦框は係合片部を有し、前記係合片部が前記係合受部に対して前記表面壁と直交する方向から嵌め込み係合させることを特徴とする請求項１から６のいずれかに記載の空間開閉装置。
【請求項８】
前記第一縦框の表面壁の裏側に係合受部を設け、前記係合受部は、前記表面壁の裏面に沿った方向に形成し、前記第二縦框の一側壁の先端部に外向き折り返し状の係合片部を形成し、前記第一縦框の表面壁の裏面に沿った方向から係脱させる構成としたことを特徴とする請求項１から６のいずれかに記載の空間開閉装置。
【請求項９】
前記第二縦框の係合片部の前記第一縦框の係合受部に対する嵌め込み方向と、前記第一縦框の裏面壁と前記第二縦框の他側片部の外方突出部との前記締結手段を介した締結方向とが同じ方向であることを特徴とする請求項７記載の空間開閉装置。
【請求項１０】
前記第二縦框の外向き折り返し状の係合片部の前記第一縦框の係合受部に対する嵌め込み方向と、前記第一縦框の裏面壁と前記第二縦框の他側片部の外方突出部との前記締結手段を介した締結方向とが直交する方向であることを特徴とする請求項８記載の空間開閉装置。
【発明の詳細な説明】
【０００１】
【発明の属する技術分野】
この発明は、各種の建造物や構造物等の開閉空間領域を開閉する空間開閉装置に関するものである。
【０００２】
【従来の技術】
従来のこの種の空間開閉装置として、例えばパネルシャッターでは、パネル体両側の縦框を内側框材と外側框材とに分離し、その内側框材と外側框材をガイドレールの外側で着脱可能とした構成のものは既に知られている。
図１１は例えば実公昭２−２３７５９号公報に開示された従来の建造物用開閉装置を示す部分的正面図、図１２は図１１のＡ−Ａ線断面図である。図において、１は建造物の開口部両側に配置される断面ほぼコ字状のガイドレール、２は
そのガイドレール１に沿って建造物の開口部を昇降開閉するパネル体であり、このパネル体２は、両側のガイドレール１間で上下方向に隣り合う複数個のものがそれぞれの両側で吊りローラ（ガイドローラ）４のローラ軸４ａを介してローラチェーン（以下、単にチェーンという）３により一連に吊持され、そのチェーン３は、ガイドレール１上部のパネル収納ボックス（図示せず）内に配置されたパネル昇降駆動系のスプロケット（図示せず）に噛合しているものである。また、前記パネル収納ボックス内には、前記スプロケットをパネル収納方向に通過したパネル体２の吊りローラ４を支持して複数のパネル体２を並列状態に吊持する収納レール（図示せず）が配置されている。
【０００３】
次に、上記パネル体２の構成について説明すると、当該パネル体２は、上框５（図１１参照）と下框６（図１２参照）および縦框７と面板８とからなり、且つ、前記縦框７は、それぞれが別部材である内側框材７ａと外側框材７ｂとからなるものである。ここで、前記外側框材７ｂはガイドレール１の開口部に嵌め込まれて前記ローラ軸４ａで吊持され、その外側框材７ｂに対してガイドレール１の外側で前記内側框材７ａを着脱可能に組み付けるようになっており、その組み付け手段については後述する。
【０００４】
図１２において、９は前記内側框材７ａの内側面部に開口して面板８の端縁部を嵌め込むための面板嵌込溝、１０は前記内側框材７ａを前記外側框材７ｂに対して着脱可能に締結する緊締ボルトであり、この緊締ボルト１０は前記面板嵌込溝９を介して着脱可能となっているものである。１１は前記面板嵌込溝９の一方端縁側に嵌着された先付けビード、１２はその先付けビード１１に当接する面板８と前記面板嵌込溝９の他方端縁部との間に圧入装着された後付けビードである。なお、前記面板嵌込溝９は上框６および下框６にも設けられて、前記先付けビード１１および後付けビード１２が一連に装着されるものである。図１１において、１３は上框５側から外側框材７ｂに螺合されてローラ軸４ａが抜け出すのを防止するためのビスである。
【０００５】
次に、外側框材７ｂに対する内側框材７ａの組み付けについて説明する。まず、内側框材７ａに面板８と先付けビード１１および後付けビード１２が取り付けられていない状態において、内側框材７ａを外側框材７ｂに嵌め込んだ後、内側框材７ａの嵌合溝９から緊締ボルト１０を挿入し、この緊締ボルト１０によって前記内側框材７ａと外側框材７ｂとを締結固定する。次いで、内側框材７ａの嵌合溝９の一方端縁側に先付けビード１１を嵌着した後、前記嵌合溝９に面板８の端縁部を嵌め込む。その後、前記嵌合溝９の他方端縁部と面板８との間に後付けビード１２を圧入装着することによってパネル体２が組み立てられ、そのパネル体２の複数個がローラ軸４ａを介してチェーン３で連繋吊持されるものである。
【０００６】
このようにチェーン３で吊持された複数のパネル体２は左右のガイドレール１間を開閉するシャッターカーテンを構成するが、このシャッターカーテンの任意個所のパネル体２が破損し、それを交換する場合には緊締ボルト１０を取り外さなければならないが、この緊締ボルト１０は、先付けビード１１と面板８と後付けビード１２によって目隠しされているので、まず、後付けビード１２と面板８および先付けビード１１を順次取り外して嵌合溝９を開口させた後、その嵌合溝９から緊締ボルト１０を取り外す。これにより、チェーン３で吊持された外側框材７ｂから内側框材７ａを取り外すことができるため、ガイドレール１を取り外すことなく、そのガイドレール１の外側でパネル体２の交換が可能になるというものである。
【０００７】
【発明が解決しようとする課題】
従来の空間開閉装置としてのパネルシャッターは以上のように構成されているので、チェーン３側に外側框材７ｂのみが残るように、その外側框材７ｂから内側框材７ａを取り外すことで、ガイドレール１を取り外さずにパネル体２の交換が可能であるが、前記内側框材７ａの取り外しに際しては、後付けビード１２と面板８および先付けビード１１を順次取り外さなければならず、それらの取り外し後でなければ、嵌合溝９から緊締ボルト１０を取り外すことができないため、内側框材７ａの取り外しに多くの手数がかかって作業性が非常に悪く、また、新たなパネル体２の組み付けに際しても、緊締ボルト１０による内側框材７ａと外側框材７ｂとの締結後に、先付けビード１１と面板８および後付けビード１２を順次取り付けなければならないため、パネル体２の交換作業が非常に面倒であると共に、点検・保守等の点でも容易ではないという課題があった。
【０００８】
この発明は上記のような課題を解決するためになされたもので、並行するガイドレール間を開閉する複数のカーテン部材のうちの何れかが故障・破損等した際に、その個所のカーテン部材のみを簡単に取り外し交換することが可能な空間開閉装置を得ることを目的とする。
【０００９】
また、この発明は、ガイドレールを小型化できてコスト低減が図れる空間開閉装置を得ることを目的とする。
【００１０】
さらに、この発明は、カーテン部材の風圧等に対する機械的強度を十分に確保することが可能な空間開閉装置を得ることを目的とする。
【００１１】
この発明に係る空間開閉装置は、建造物の開口部両側に配置され、対向面部に開口した縦ガイド溝を有する左右一対のガイドレールと、両側の縦框の端部が左右一対のガイドレールの縦ガイド溝に対して嵌め込まれて昇降し、建造物の開口部を開閉する上下複数のカーテン部材と、これらのカーテン部材の両側を前記ガイドレールの内部で連繋する連繋部材とを備え、前記カーテン部材の少なくとも一側の縦框は、表面壁と裏面壁とを有する第一縦框と、断面ほぼＬ形状に形成され、そのＬ形状の一側片部と他側片部とを有する第二縦框とを有し、前記一側の縦框が前記ガイドレールに嵌め込まれた状態において、前記第一縦框および前記第二縦框の一側片部の側縁部の内、一方には係合部が設けられ、他方には前記係合部に着脱可能な係合受部が設けられており、これらの係合部および係合受部は互いに係合されてガイドレールの内部にあり、前記係合部および前記係合受部により互いに係合された前記第一縦框と前記第二縦框との間の係合を前記ガイドレールの外部から係合解除可能なように、前記係合部と前記係合受部との係合位置から離れた位置で、前記裏面壁と、少なくとも一部が前記縦ガイド溝から外方に突出する他側片部の外方突出部とを締結解除可能に締結している締結手段とを備えているように構成したものである。
【００１２】
この発明に係る空間開閉装置は、カーテン部材の移動方向の前後端部に、両端部がガイドレールに摺動可能に嵌め込まれてカーテン部材両側の框材を挟み込むフレーム部材を設けたものである。
【００１３】
【発明の実施の形態】
以下、この発明の実施の一形態を説明する。
実施の形態１．
図１（ａ）はこの発明の実施の形態１による空間開閉装置としてパネルシャッターを部分的に切り欠いて示す正面図、図１（ｂ）は図１（ａ）の側面図、図２は図１（ａ）中のカーテン部材吊持付近の要部拡大図、図３は図２中の上部横框を取り外した状態の平面図、図４は図３中の第一縦框と第二縦框を分離して示す拡大断面図であり、図１１および図１２と同一または相当部分には同一符号を付して重複説明を省略する。図において、７１は左右一対のガイドレール１間を昇降開閉するカーテン部材の構成部材である面板８と上框５および下框６に前記面板８の両側で装着固定（一体的にユニット化）された左右の第一縦框（框材）、７２は複数のカーテン部材であるパネル体２をそれぞれの両側で連繋する連繋部材としてのチェーン３側にユニット化された第二縦框（框材）であり、それらの第一縦框７１と第二縦框７２を着脱可能に組み付け合体することによって、パネル体２両側の縦框７が構成されるものである。
【００１４】
ここで、第一縦框７１および第二縦框７２の詳細な形状構成を図３，図４に基づいて説明する。
まず、第一縦框７１は、表面壁７１１と外側面壁７１２と内側面壁７１３と裏面壁７１４とで囲まれた中空部材からなるもので、外側面壁７１２と内側面壁７１３との間隔は表面壁７１１の幅よりも狭く設定されている。したがって、第一縦框７１は、表面壁７１１と外側面壁７１２とを連ねる外側折り返し壁７１５および表面壁７１１と内側面壁７１３とを連ねる内側折り返し壁７１６を有している。かかる第一縦框７１において、表面壁７１１の裏側には、外側折り返し壁７１５側の端部で前記表面壁７１１と直交する方向に開口する係合溝７１７が形成され、この係合溝７１７は第二縦框７２の片側端縁部を係脱可能に嵌め込み係合させるための係合受部となるものである。また、前記裏面壁７１４は、ネジ挿入孔７１８と、その裏側に嵌着されたナット１４と、前記ネジ挿入孔７１８の近傍に一体突設された外向きの係合突起７１９とを有しており、前記内側折り返し壁７１６には、先付けビード１１を嵌着するためのビード取付溝７１６ａが設けられ、前記内側面壁７１３には、後付けビード１２を面板８に押えつけるビード押え１５を着脱可能に係止させるための係合爪７１３ａと当接片部７１３ｂが設けられている。
【００１５】
一方、第二縦框７２は断面ほぼＬ形状に形成され、そのＬ形状の一側片部７２１の側縁部には、前記第一縦框７１の係合溝７１７に対して係脱可能に嵌め込み係合させるための係合片部７２２が形成されている。したがって、その係合片部７２２は前記係合溝（係合受部）７１７に対する係合部となるものである。なお、前記係合溝７１７は第二縦框７２の一側片部７２１の側縁部に、且つ、前記係合片部７２２は第一縦框７１の表面壁７１１の裏側に形成してもよい。さらに、前記係合溝７１７または係合片部７２２は第一縦框７１の表面壁７１１の表側や外側面壁７１２の表側に設けてもよい。要するに、第一縦框７１と第二縦框７２の何れか一方に係合片部７２２が、且つ、他方に係合溝７１７が形成されていればよい。
【００１６】
また、前記第二縦框７２の他側片部７２３には、前記第一縦框７１の係合突起７１９に係脱可能に嵌め込み係合させるための係合凹部７２４と、前記ネジ挿入孔７１８に連通させるためのネジ挿入孔７２５が設けられているものである。したがって、第二縦框７２は、片側縁部に前記係合片部７２２を有し、その反対側に前記係合凹部７２４とネジ挿入孔７２５を有するものである。なお、前記係合凹部７２４は、前記係合溝７１７の場合と同様の縦溝からなって、前記係合突起７１９を上下方向へスライド可能に嵌め込み係合させるものである。また、前記第二縦框７２において、前記係合凹部７２４とネジ挿入孔７２５を有する他側片部７２３は、第一縦框７１の裏面壁７１４に接合させる側の、いわゆる接合片部となるものである。さらに、第一縦框７１の係合突起７１９と第二縦框７２の係合凹部７２４は、第一縦框７１と第二縦框７２の横ずれ方向の外力に対する係合部となるものであって、それぞれの形状は特定されるものでない。１６は第一縦框７１と第二縦框７２を締結する締結手段としての締結ネジであり、第二縦框７２のネジ挿入孔７２５および第一縦框７１のネジ挿入孔７１８を介してナット１４に螺合されるものである。
【００１７】
以上において、左右の第一縦框７１の上端と下端には、図１および図２に示すように、上框５と下框６のそれぞれの両端部が長ボルト１７で組み付け固定され、それらの第一縦框７１と上・下框５，６によって、面板８を嵌め込み保持する矩形枠状の面板保持枠が構成されている。ここで、前記上框５と下框６は、それぞれの両端部がガイドレール１の縦ガイド溝１ａに摺動可能に嵌め込まれてパネル体（カーテン部材）２両側の縦框（框材）７を挟み込むフレーム部材となるものである。
他方、第二縦框７２の一側片部７２１の外側面には、図１（ａ），図２，図３に示すようにピンブラケット１８が固着されており、そのピンブラケット１８は、チェーン３に一体化された吊りローラ４のローラ軸４ａが挿入可能なスリーブ１９を有するものである。
【００１８】
ここで、上述のように第一縦框７１の上下端に組み付け固定された上・下框５，６は断面矩形状の中空部を有するものであり、その上框５の中空部上壁の両端には切欠部２０が設けられており、この切欠部２０は、図１および図２の状態のローラ軸４ａをスリーブ１９ともども上下方向に通過可能とするものである。
【００１９】
次に、パネル体２および縦框７の組み立てについて説明する。まず、左右の第一縦框７１と上・下框５，６とを矩形枠状に組み立てた後、第一縦框７１と上・下框５，６の内側に先付けビード１１を組み付け、その先付けビード１１に片面を当接させた面板８の反対面に後付けビード１２を当接させてビード押え１５を組み付けることにより、パネル本体を組み立てる。次いで、第一縦框７１の係合溝７１７に第二縦框７２の片側端部の係合片部７２２を嵌め込み、且つ、その反対側の係合凹部７２４を嵌め込むことにより、第一縦框７１のネジ挿入孔７１８と第二縦框７２のネジ挿入孔７２５を合致させる。この状態で、前記ネジ挿入孔７２５，７１８を介してナット１４に締結ネジ１６を螺合・緊締することにより、第一縦框７１に第二縦框７２を一体的に組み付け固定する。これにより、パネル体２が組み立てられる。
【００２０】
このようにして組み立てられたパネル体２は、左右のチェーン３にそれぞれ一体化された吊りローラ４のローラ軸４ａを、第二縦框７２のピンブラケット１８に一体化されたスリーブ１９に挿入することにより、前記チェーン３で吊持されるが、その吊持状態において、パネル体２両側の縦框７（第一縦框７１，第二縦框７２）および上・下框５，６の両端部は、ガイドレール１の縦ガイド溝１ａに対して昇降自在に嵌め込まれる。その嵌め込み状態において、第一縦框７１の裏面壁７１４に接合する第二縦框７２の他側片部７２３は前記縦ガイド溝１ａから外方（面板８の方向）に突出する幅寸法に設定され、その突出片部に締結ネジ１６の頭部が露出しているものである。
【００２１】
したがって、チェーン３で吊持された任意個所のパネル体２が破損等し、それを交換する際には、パネル体２の裏面側でガイドレール１の外部に頭部が露出している締結ボルト１６を取り外すことによって、パネル体２の本体のみを容易に交換することができる。
【００２２】
すなわち、前記締結ネジ１６を取り外すと、第一縦框７１と第二縦框７２の締結が解除されるので、第一縦框７１をガイドレール１の縦ガイド溝１ａの開口幅内でその幅方向に位置ずれさせて係合溝７１７と係合片部７２２との係合および係合突起７１９と係合凹部７２４との係合をそれぞれ解除（図４および図５（ｂ）参照、）する。この状態において、スリーブ１９が一体化されたローラ軸４ａを上框５の切欠部（図２および図５（ｃ）参照）に合致させるようにしてパネル体２を下方に移動させる（落とす）と、ローラ軸４ａがスリーブ１９ともども前記切欠部２０を上方に通過してパネル体２から外れることにより、チェーン３側に第二縦框７２をユニット化状態に残したまま、第一縦框７１がユニット化されたパネル体２の本体のみがガイドレール１間から取り外される。
【００２３】
以上説明した実施の形態１では、建造物の開口部両側に配置され、対向面部に開口した縦ガイド溝１ａを有する左右一対のガイドレール１と、このガイドレール１間を昇降開閉する上下複数のパネル体（カーテン部材）２と、これらのパネル体２の両側を前記ガイドレール１の内部で連繋するローラチェーン（連繋部材）３とを備えた開閉装置において、前記パネル体２の両側にユニット化された第一縦框７１と、この第一縦框７１の表面壁７１１の裏側に設けた係合受部７１７と、前記ローラチェーン３にユニット化されて前記縦ガイド溝１ａに昇降可能に嵌め込まれ、前記係合受部７１７に対して着脱可能に係合する係合片部７２２および前記縦ガイド溝１ａから突出して前記第一縦框７１の裏面壁７１４に接合する接合片部７２３を有する第二縦框７２と、この第二縦框７２の接合片部７２３を前記第一縦框７１の裏面壁７１４に前記ガイドレール１の外部で着脱可能に締結する緊締ボルト（締結手段）１６とを備える構成としたものである。
【００２４】
このような構成の実施の形態１によれば、パネル体２の破損等による交換時には、前記締結ネジ１６を取り外すだけで第一縦框７１と第二縦框７２を簡単に分離でき、その第二縦框７２をチェーン３側に残したまま第一縦框７１がユニット化されたパネル体２の本体のみを容易に取り外すことが可能になるという効果がある。また、前記締結ネジ１６はパネル体２の表面には露出しないので、パネル体２の表面の意匠的美観が損なわれるようなこともないという効果がある。
【００２５】
さらに、上記実施の形態１では、特に、第二縦框７２の片側端部となる係合片部７２２が第一縦框７１の係合溝７１７に対して第一縦框７１の表面壁７１１の直角方向から嵌め込み係合され、且つ、前記係合片部７２２とは反対側の係合凹部７２４が第一縦框７１の係合突起７１９に嵌め込み係合されるように構成したので、第一縦框７１と第二縦框７２の組み付け強度を十分に確保することができ、面板８が強い風圧を受けても、その風圧の影響で締結ネジ１６が緩むようなことがないという効果がある。さらに、パネル体２の交換に際しては、上述のように、締結ネジ１６を外してパネル体２を下方に移動させることでパネル体２の本体が取り外し可能となるので、パネル体２を横方向に移動させてガイドレール１から取り外す場合のように、ガイドレール１内に大きなスペースを必要とせず、このため、ガイドレール１は内部容積が小さなものとでき、これによって開閉装置全体のコンパクト化が図れると共に、コスト低減が可能になるという効果がある。
【００２６】
以上説明した実施の形態１では、締結ネジ１６の取り外し後にパネル体２を下方に移動させる（落とす）ことで、ローラ軸４ａをスリーブ１９ともども上框５の切欠部２０から抜くように説明したが、締結ネジ１６の取り外し後において、スリーブ１９が一体化されたローラ軸４ａとパネル体２とを相対的に移動させて前記切欠部２０から抜くことも可能であり、この場合も同様の効果が得られる。さらに、前記締結ネジ１６については、第三者が勝手に外せないように、例えば建物や室等で内外という概念がある場合には内側に設けることが好ましく、また、内外という概念がある他のものとして、例えば、外から操作するのが一般的なゴミ収納ボックス等では外側に設けてもよく、いずれの場合も同様の効果が得られるものである。
【００２７】
実施の形態２．
図６（ａ）はこの発明の実施の形態２による空間開閉装置としてのパネルシャッターを示す正面図、図６（ｂ）は図６（ａ）の側面図、図７は図６（ａ）中のカーテン部材吊持付近の要部拡大図、図８は図７中の第一縦框と第二縦框を分離した状態を示す横断面図であり、図１から図５と同一または相当部分には同一符号を付して重複説明を省略する。この実施の形態２では、上記実施の形態１における第一縦框７１と第二縦框７２のそれぞれの形状を変えたものである。この実施の形態２において、第一縦框７１の表面壁７１１の裏側に設けた係合溝（係合受部）７１７は、前記表面壁７１１の裏面に沿った方向に傾向するように形成したものである。また、第二縦框７２は断面コ字状の凹部７２６を有し、その凹部７２６の一側壁７２６ａに比して他側壁７２６ｂを長く形成し、長さが短い前記一側壁７２６ａの先端部に外向き折り返し状の係合片部７２２を形成すると共に、長さが長い前記他側壁７２６ｂの先端側にネジ挿入孔７２５を設けたものである。なお、７１８ａは第一縦框７１の裏側補強壁部に設けられたネジ穴であり、このネジ穴７１８ａに前記ネジ挿入孔７２５を介して締結ネジ１６が螺合されるものである。
【００２８】
すなわち、この実施の形態２では、チェーン３側にユニット化される第二縦框７２の係合片部７２２と、パネル体２の本体側にユニット化される第一縦框７１の係合溝７１７とを、第一縦框７１の表面壁７１１の裏面に沿った方向、すなわち、横方向から係脱させる構成としたものである。
【００２９】
したがって、この実施の形態２によるパネル体２の交換に際しては、図９（ａ），（ｂ）および図１０（ａ），（ｂ）に示すように、ガイドレール１の外側でパネル体２の裏側に露出している締結ネジ１６を取り外した後、パネル体２を横方向に移動させると、第一縦框７１の係合溝７１７と第二縦框７２の係合片部７２２との係合が外れ、且つ、パネル体２の一方端の第一縦框７１がガイドレール１から外れるので、この状態で図１０（ｂ）に示すように、パネル体２を傾けて当該パネル体２の他方端の第一縦框７１をガイドレール１から引き抜くことにより、パネル体２を取り外すことができる。
【００３０】
以上説明した実施の形態２の構成によれば、第一縦框７１の係合溝７１７と第二縦框７２の係合片部７２２とを嵌め込み係合させた後、第二縦框７２のネジ挿入孔７２５を介して第一縦框７１のネジ穴７１８ａに締結ネジ１６を螺合・緊締することにより組み立てられる縦框７の厚み寸法を小さくできるという効果がある。なお、この実施の形態２によっても、上記実施の形態１の場合と同様の効果が得られるものである。
【００３１】
実施の形態３．
上記実施の形態１および実施の形態２では、パネルシャッターについて説明したが、この発明による空間開閉装置は、パネルシャッター以外の巻き取りタイプやオーバードアタイプのシャッターとして適用可能であり、また、その他の例えば電話ボックスやゴミ収納箱あるいは間仕切り等としても適用可能である。
【００３２】
また、第一縦框７１に第二縦框７２を着脱可能に締結する締結手段として締結ネジ１６を用いたが、その締結ネジ１６はボルトやビスあるいはその他の締結具に置き換えてもよく、さらには、比較的容易に着脱可能であれば接着剤を締結手段とすることも可能である。
【００３３】
さらに、パネル体２両側の縦框７は、その一側の縦框７が第一縦框７１と第二縦框７２とに分離可能な構成とし、他側の縦框７は全体がパネル体２に一体化されたものであってもよく、この場合も同様の効果が得られる。
【００３４】
さらに、前記係合溝（係合受部）７１７と前記係合片部（係合部）７２２は、取り外し前の通常組み立て状態において、ガイドレール１の内部にあることが好ましく、この場合、前記係合溝７１７と係合片部７２２との係合部の隙間がガイドレール１内にあることから気密性が向上し、第二縦框７２を小さくできると共に、前記係合部がガイドレール１の外部から見えないので、意匠性が向上するという効果がある。なお、前記係合溝７１７と係合片部７２２は、ガイドレール１内になくてもよく、この場合、前記係合溝７１７と係合片部７２２との係合部が、締結ネジ１６等による第一縦框７１と第二縦框７２との締結部よりもガイドレール１寄りに位置していれば、前記係合部におけるガイドレール１外に位置する部分を必要最小限にすることができ、縦框７における第二縦框７２の部分を少なくでき、第一縦框７１やパネル面板８の部分を多くでき、開閉装置の強度等を大きくできるという効果がある。
【００３５】
【発明の効果】
以上のように、この発明によれば、建造物の開口部両側に配置され、対向面部に開口した縦ガイド溝を有する左右一対のガイドレールと、両側の縦框の端部が左右一対のガイドレールの縦ガイド溝に対して嵌め込まれて昇降し、建造物の開口部を開閉する上下複数のカーテン部材と、これらのカーテン部材の両側を前記ガイドレールの内部で連繋する連繋部材とを備え、前記カーテン部材の少なくとも一側の縦框は、表面壁と裏面壁とを有する第一縦框と、断面ほぼＬ形状に形成され、そのＬ形状の一側片部と他側片部とを有する第二縦框とを有し、前記一側の縦框が前記ガイドレールに嵌め込まれた状態において、前記第一縦框および前記第二縦框の一側片部の側縁部の内、一方には係合部が設けられ、他方には前記係合部に着脱可能な係合受部が設けられており、これらの係合部および係合受部は互いに係合されてガイドレールの内部にあり、前記係合部および前記係合受部により互いに係合された前記第一縦框と前記第二縦框との間の係合を前記ガイドレールの外部から係合解除可能なように、前記係合部と前記係合受部との係合位置から離れた位置で、前記裏面壁と、少なくとも一部が前記縦ガイド溝から外方に突出する他側片部の外方突出部とを締結解除可能に締結している締結手段とを備えているように構成したので、カーテン部材の破損等による交換時には、締結手段を取り外すだけで第一縦框と第二縦框を簡単に分離でき、その第二縦框をガイドレール側に残したまま第一縦框がユニット化されたカーテン部材の本体のみを容易に取り外すことが可能になるという効果がある。
また、ガイドレールに対するカーテン部材の取付強度が風圧等に十分に耐え得るものになるという効果がある。
【００３６】
この発明によれば、カーテン部材の移動方向の前後端部に、両端部がガイドレールに摺動可能に嵌め込まれてカーテン部材両側の框材を挟み込むフレーム部材を設けるように構成したので、ガイドレールに対するカーテン部材の取付強度が風圧等に十分に耐え得るものになるという効果がある。
【図面の簡単な説明】
【図１】図１（ａ）はこの発明の実施の形態１による空間開閉装置としてのパネルシャッターを部分的に切り欠いて示す正面図、図１（ｂ）は図１（ａ）の側面図である。
【図２】図１（ａ）中のカーテン部材吊持付近の要部拡大図である。
【図３】図２中の上部横框を取り外した状態の平面図である。
【図４】図３中の第一縦框と第二縦框を分離して示す拡大断面図である。
【図５】カーテン部材の交換時の動作を説明する断面図である。
【図６】図６（ａ）はこの発明の実施の形態２による空間開閉装置としてのパネルシャッターを示す正面図、図６（ｂ）は図６（ａ）の側面図である。
【図７】図７は図６（ａ）中のカーテン部材吊持付近の要部拡大図である。
【図８】図７中の第一縦框と第二縦框を分離した状態を示す横断面図である。
【図９】カーテン部材交換時の動作説明図である。
【図１０】カーテン部材交換時の図９に続く動作説明図である。
【図１１】従来の建造物用開閉装置を示す部分的正面図である。
【図１２】図１１のＡ−Ａ線断面図である。
【符号の説明】
１    ガイドレール
１ａ  縦ガイド溝
２    パネル体
３    ローラチェーン
４    吊りローラ
４ａ  ローラ軸
５    上框
６    下框
７    縦框
８    面板
１１    先付けビード
１２    後付けビード
１４    ナット
１５    ビード押え
１６    締結ボルト
７１    第一縦框
７２    第二縦框
７１１    表面壁
７１２    外側面壁
７１３    内側面壁
７１３ａ  係合爪
７１３ｂ  当接片部
７１４    裏面壁
７１５    外側折り返し壁
７１６    内側折り返し壁
７１７    係合溝
７１８    ネジ挿入孔
７１８ａ  ネジ穴
７１９    係合突起
７２１    一側片部
７２２    係合片部
７２３    他側片部
７２４    係合凹部
７２５    ネジ挿入孔
７２６    凹部
７２６ａ  一側壁
７２６ｂ  他側壁
【図１】
0004189899.tif 000002
【図２】
0004189899.tif 000003
【図３】
0004189899.tif 000004
【図４】
0004189899.tif 000005
【図５】
0004189899.tif 000006
【図６】
0004189899.tif 000007
【図７】
0004189899.tif 000008
【図８】
0004189899.tif 000009
【図９】
0004189899.tif 000010
【図１０】
0004189899.tif 000011
【図１１】
0004189899.tif 000012
【図１２】
0004189899.tif 000013